(57)【要約】 【課題】門扉の昇降時に門扉がスムーズに作動できるガレージ扉を提供することを目的とする。【解決手段】可動柱３には可動柱３の上下方向に沿って凹溝部７０が設けられ、この凹溝部７０内を昇降ガイド部４０がスライドすることによって、昇降ガイド部４０に連動する連結部５０を介して門扉６が昇降される。昇降ガイド部４０には上下４段に合計８個のコロ７１が配設され、略Ｓ字形の細長板材７５の凸部の相当する部分にはＴ方向を軸にして回転するコロ７１を設け、凹部に相当する部分の短板７５ａにはＳ方向を軸にして回転するコロ７１を設ける。上下の各段には、内壁間７０ａ用（Ｔ方向）と内壁間７０ｂ用（Ｓ方向）に各１個のコロ７１からなる一対のコロ７１が設けられるとともに、各段ごとに一対のコロ７１の組み合わせが内壁間７０ａ用（Ｔ方向）と内壁間７０ｂ用（Ｓ方向）の位置を交互に交代するように配列されている。【選択図】  図７
2005240326.tif 000002
【特許請求の範囲】
【請求項１】
固定柱とこの固定柱を囲む可動柱とからなる門柱が一対形成され、可動柱を固定柱に沿って上方下方に駆動する駆動手段と、一対の可動柱に連動して昇降する跳ね上げ式の門扉とを備えたガレージ扉であって、
上記可動柱の所定の上昇位置で門扉全体を敷地側に回転させる門扉回転手段を備えるとともに、
前記門扉の下端部に設けられて前記門扉の自重を受け持つと共に、前記門扉の回転時の回転支点となる連結部が、可動柱に設けられた凹溝部内を駆動索によって昇降する昇降ガイド部に、前記門扉の面に沿って水平である見付け方向を中心軸として回転自在に取付けられ、
この昇降ガイド部に複数のコロが配設されることを特徴とするガレージ扉。
【請求項２】
請求項1記載のガレージ扉であって、前記昇降ガイド部の複数のコロは見付け方向と前記門扉の面に垂直である見込み方向にそれぞれ配設されることを特徴とするガレージ扉。
【発明の詳細な説明】
【技術分野】
【０００１】
本発明は、ガレージ扉に関し、特に跳ね上げ式の門扉の技術に関する。
【背景技術】
【０００２】
従来、図９に示すように、ガレージ扉６０は門柱５１に門扉５５が回転自在に装着され、一対の門柱５１は固定柱５２と昇降可能の可動柱５３からなる。可動柱５３と門扉５５はアーム５４によって連結されており、アーム５４を回転させることによって門扉５５が上方に跳ね上げられる構成が特許文献１に開示されている。
【０００３】
ところが、門扉５５を下ろした状態では、アーム５４の長さ分だけ門扉５５が道路側Ｍに飛び出すことになるので、門扉５５が道路側Ｍに飛び出さないように門柱５１を敷地側Ｎに寄せて設置する必要があった。このため、門柱５１を敷地側Ｎに寄せた分だけ有効敷地面積が減少するという問題があった。また、アームによる通行阻害が発生する問題があった。
【０００４】
このため、敷地面積が出来るだけ減少しないようにアーム５４を短くすると、門扉５５を上げた状態で地面から門扉５５までの空間高さが低くなり、車高の高い車の収納ができなくなるという問題があった。
【０００５】
そこで、図１０に示すように、門扉５８が道路側Ｍに飛び出すのを防止するために左右の門柱５６と横桁５７とからなる門形フレームの内側に門扉５８を駆動モータ５９で昇降可能に配置し、門扉５８を上昇位置で敷地側Ｎに向けて回転させる構成が特許文献２に開示されている。
【特許文献１】実開平３−５７３００号公報
【特許文献２】特開平７−６２９６２号公報
【発明の開示】
【発明が解決しようとする課題】
【０００６】
ところが、特許文献２のガレージ扉では、門形フレームの門柱５６及び横桁５７が大掛かりで門扉の開閉空間がコンパクトでなくなるとともに、門柱が上下する機構は、柱の寸法精度や温度変化による微小変形等に対応できないため、柱のスムーズな昇降が出来ないという問題があった。
【０００７】
そこで、本発明は、開閉時に門扉が道路側に飛び出すことなく、アームによる通行阻害をなくし、横桁をなくしてコンパクト化することを目的とする。
【０００８】
施工が容易で且つ低コストのガレージ扉を提供することを目的とする。
【０００９】
さらに、門扉の昇降時に門扉がスムーズに作動できるガレージ扉を提供することを目的とする。
【００１０】
門扉回転時に安定して回転できるガレージ扉を提供することを目的とする。
【課題を解決するための手段】
【００１１】
請求項１の発明は、固定柱とこの固定柱を囲む可動柱とからなる門柱が一対形成され、可動柱を固定柱に沿って上方下方に駆動する駆動手段と、一対の可動柱に連動して昇降する跳ね上げ式の門扉とを備えたガレージ扉であって、上記可動柱の所定の上昇位置で門扉全体を敷地側に回転させる門扉回転手段を備えるとともに、前記門扉の下端部に設けられて前記門扉の自重を受け持つと共に、前記門扉の回転時の回転支点となる連結部が、可動柱に設けられた凹溝部内を駆動索によって昇降する昇降ガイド部に、前記門扉の面に沿って水平である見付け方向を中心軸として回転自在に取付けられ、この昇降ガイド部に複数のコロが配設されることを特徴としている。  
このため、開閉時に門扉が道路側に飛び出すことがなくなり、アームによる通行阻害もなくすことができる。
【００１２】
門扉の昇降時に門扉がスムーズに作動できる。また、門扉回転時に安定して回転できる。
【００１３】
請求項２の発明は、請求項1記載のガレージ扉であって、前記昇降ガイド部の複数のコロは見付け方向と前記門扉の面に垂直である見込み方向にそれぞれ配設されることを特徴としている。このため、見付け方向と見込み方向のコロ部によって門扉がスムーズに作動できる。門扉回転時に安定して回転できる。
【発明の効果】
【００１４】
請求項１記載の発明によれば、前記門扉の下端部に設けられて前記門扉の自重を受け持つと共に、前記門扉の回転時の回転支点となる連結部が、可動柱に設けられた凹溝部内を駆動索によって昇降する昇降ガイド部に、前記門扉の面に沿って水平である見付け方向を中心軸として回転自在に取付けられ、この昇降ガイド部に複数のコロが配設される。  
このため、開閉時に門扉が道路側に飛び出すことなく、アームによる通行阻害をなくすことができ、コンパクト化できるので、施工が容易で且つ低コストのガレージ扉が得られる。
【００１５】
さらに、門扉の昇降時に門扉がスムーズに作動できる。また、門扉回転時に安定して回転することができる。
【００１６】
請求項２記載の発明によれば、前記昇降ガイド部の複数のコロは見付け方向と前記門扉の面に垂直である見込み方向にそれぞれ配設される。
【００１７】
このため、見付け方向と見込み方向のコロ部によって門扉がスムーズに作動できる。門扉回転時に安定して回転することができる。
【発明を実施するための最良の形態】
【００１８】
＜ガレージ扉の構成＞  
以下に、本発明の第１の実施形態を図に基づいて説明する。
【００１９】
図１（ａ）、（ｂ）、（ｃ）に示すように、本実施形態のガレージ扉１は、固定柱２とこの固定柱２を囲む可動柱３とからなる門柱４が一対形成され、可動柱３を固定柱２に沿って上方下方に駆動する駆動手段５と、一対の可動柱３に連動して昇降する跳ね上げ式の門扉６とを備えたガレージ扉１であって、上記可動柱３の所定の上昇位置で門扉６全体を敷地側Ｎに回転させる門扉回転手段としてのリンク機構８を備えている。そして、前記門扉６の下端部に設けられて前記門扉６の自重を受け持つと共に、前記門扉６の回転時の回転支点となる連結部５０が、可動柱３に設けられた凹溝部７０内を駆動索１８によって昇降する昇降ガイド部４０に、前記門扉６の面７に沿って水平である見付け方向Ｔを中心軸として回転自在に取付けられ、この昇降ガイド部４０には複数のコロ７１が配設されている。
【００２０】
門扉回転手段としてのリンク機構８はアーム１５とサブアーム１６により構成され門扉６を回転して跳ね上げるようになっている。
【００２１】
なお、固定柱２は、平面視で四角筒形に形成され、固定柱２よりもひと回り大きい可動柱３の内部に格納される。さらに、化粧柱１３が可動柱３を覆っている（化粧柱１３は下限位置での可動柱３を覆うとともに、化粧柱１３は固定柱２の下部に固着する）ので、可動柱３が上昇して門扉６が跳ね上がって全閉した状態でも、固定柱２周りのリンク機構８等の状況は外部から見ることはできず、外観的には、門扉６が全閉したときの状態と同じである。
【００２２】
図２(ａ)、（ｂ）に示すように、リンク機構８は、アーム１５とサブアーム１６とで構成される。（図において固定柱２および化粧柱１３は省略されている。）
アーム１５の形状は細長い矩形板であり、一端部１５ａは可動柱３の上端部３ａに固着された固定ピン１５ｃに回転自在に連結支持されている。
【００２３】
サブアーム１６は門扉６の側面に設けた細長い矩形板で中央部略１／３の領域には、長孔１６ａが長手方向に設けられている。この長孔１６ａに上下方向にスライド嵌合する可動ピン１５ｄが挿入されており、この可動ピン１５ｄにアーム１５の他端部１５ｂが連結される。このように、門扉６全体は、サブアーム１６と可動ピン１５ｄとアーム１５と固定ピン１５ｃを介して可動柱３に懸垂される構成である。
【００２４】
このように、アーム１５は固定ピン１５ｃの軸周りに回転自由であり、サブアーム１６は可動ピン１５ｄの軸周りに回転自由であるとともに可動ピン１５ｄに対して上下方向に移動自由である。
【００２５】
次に、門扉６をスライド上昇させる駆動索１８は２本のワイヤ１８ａ、１８ｂからなり、例えばベルト状のスチール製ワイヤ等が用いられる。一方のワイヤ１８ａは一端を図示しない固定柱の上部に設けられた固定部１９に固定するとともに、固定部１９から可動柱３の上部に設けた滑車２０を経て門扉６下部（サブアーム１６下部）に設けられた連結部５０に固着される。他方のワイヤ１８ｂは一端を固定部１９に固定されるとともに、可動柱３の下部に設けた滑車２１を経て連結部５０に固着される。これにより門扉６は連結部５０によって昇降ガイド部４０に固着されるとともに、昇降ガイド部４０を昇降させる駆動索１８を介して図示しない固定柱の固定部１９に吊下支持されている。
【００２６】
図２（ｃ）に示すように、可動柱３が下限位置にあるときは門扉６（サブアーム１６）の下端部の連結部５０は可動柱３の下部の滑車２１の近傍に位置している。
【００２７】
図２（ｄ）に示すように、可動柱３が図示しない装置で矢印の方向に上昇し始めると、ワイヤ１８а、１８ｂの一端が固定部１９にて固定されているので、ワイヤ１８а、１８ｂによって連結部５０が引き上げられることになり、門扉６を可動柱３に追随させて上昇させる。
【００２８】
このとき、可動柱３の上昇に連動して門扉６も上昇するが、門扉６の上昇速度は可動柱３よりも速度が早くなる。つまり、可動柱３がＶだけ上昇すると滑車２１もＶだけ上昇するが、このとき、ワイヤ１８а、１８ｂは一端が固定部１９に固定された閉ループなので、滑車２１が動滑車としての役割をする。そのため、滑車（動滑車）２１がＶ上昇するのに必要なワイヤ１８ｂの長さＵはＵ（≒２×Ｖ）になる。このように、ワイヤが長さＵだけ上昇方向に移動するので、連結部５０も長さＵだけ上昇することになる。
【００２９】
そして、連結部５０の上昇により連結部５０と一体の門扉６も長さＵだけ上昇するので、門扉６は可動柱３の略２倍の移動ストロークで上昇することができる。
【００３０】
図３(ａ)〜（ｆ）を用いて、門扉６を開く際の動作を説明する。なお、図３(ａ)、（ｂ）に関しては、図２で説明した内容と同じである。また、説明の符号は図３(ｃ)、（ｅ）に付しているが他の図でも同様である。
【００３１】
図３（ｃ）、（ｄ）に示すように、図３（ａ）の全閉状態から図示しない駆動モータを駆動して可動柱３を上方に駆動させると、可動柱３が下限位置から所定の上昇位置に達するまではリンク機構８の可動ピン１５ｄがサブアーム１６に設けた長孔１６ａに沿って相対的に下降することで、門扉６は途中までは回転せずに真上に上がる。  
門扉６は前記連結部５０と昇降ガイド部４０を介してワイヤ１８ｂに吊下支持状態で連結されているが、門扉６はその下端部の連結部５０を中心として回転可能な状態となっているので、下限位置から所定の上昇位置までは門扉６が上昇中に回転しないように保持する必要がある。そこでリンク機構８がスライドしている間は、可動柱３に取付けた図示しない門扉ガイドによって門扉６が回転しないようにガイドされており、門扉６を鉛直線上に上昇できるようになっている。
【００３２】
また、門扉６が上昇後に回転を開始する際に門扉６を回転方向に傾ける図示しないトリガーが、門扉６の上下方向の中央より下側位置に設けられており、リンク機構８の可動ピン１５ｄが長孔１６ａの下端部に達する直前に、可動柱３の内側に配置されている図示しないローラーが図示しないトリガーに当接することで門扉６が回転し始めるように構成されている。
【００３３】
これにより、可動柱３の上昇に追随して門扉６はリンク機構８によって敷地側Ｎに向かって上昇と傾斜動作を続ける。
【００３４】
図３（ｅ）、（ｆ）に示すように、さらにリンク機構８の可動ピン１５ｄが長孔１６ａの下端に達した後で門扉６が更に上昇することで、リンク機構８が下向きから敷地側Ｎに向かって回転して、門扉６を最終的に可動柱３の上方位置で敷地側Ｎに跳ね上げた全開状態となる。このとき、リンク機構８を利用して門扉６の荷重がバランス良く支えられることで、門扉６は全開状態で停止して保持される。なお、上記と逆の動作（図３（ｆ）→（ａ））によって門扉を閉じることができる。
【００３５】
図４に示すように、上記可動柱３を上方に駆動させる駆動手段５は、固定柱２に内蔵される駆動モータ３０と、駆動モータ３０の動力を可動柱３に伝達する例えばチェーン・スプロケット式やラック・ピニオンギア式の駆動伝達機構３１で構成される。    
駆動伝達機構３１は、固定柱２に内蔵される駆動モータ３０に取付けられたスプロケット３２と、可動柱３の内側に配置され、可動柱３の上下方向に亘って取付けられたチェーン３３からなり、駆動モータ３０によりスプロケット３２を回転するとスプロケット３２とチェーン３３との噛み合いにより可動柱３が固定柱２に対して上下方向に駆動する。なお、６５は外壁である。
【００３６】
図５、図６に示すように、固定柱２の上部に駆動モータ３０が取付けられ、図示しないピニオンギアとラック３４の噛み合いによって図示しない可動柱に連動して門扉６を上下方向に駆動することができる。
【００３７】
固定柱２の上部には、可動柱３が固定柱２に対してスムーズに昇降できるように、第１のコロ部１０と第２のコロ部１１が設けられ、それぞれの第１のコロ部１０と第２のコロ部１１には、側面４面に水平軸回りに回転する合計８個のコロ１２が２層に亘って設けられている。
【００３８】
また、門扉６の下部は、門扉６の昇降を安定してスライド昇降させるために、門扉６が連結部５０（下端部材４１、連結ピン受け１６ｅ、連結ピン用ブラケット７７、連結ピン１６ｆで構成される）を介して昇降ガイド部４０に連結され、昇降ガイド部４０は駆動索であるワイヤ１８ａ、１８ｂによって図示しない可動柱に吊下支持されている。
【００３９】
図７に示すように、門扉６に対応する可動柱３の角部３ｂには可動柱３の上下方向に沿って凹溝部７０が設けられ、その大きさは可動柱３に対して略１／３（寸法比）の相似形であり一部に開口７０ｃを持つ凹型断面形状である。この凹溝部７０内を昇降ガイド部４０がスライドすることによって、昇降ガイド部４０に連動する連結部５０を介して門扉６が昇降される。
【００４０】
ここで、門扉６の側端下部７２の下端部材４１は、門扉６の敷地側Ｎの面に取付けられた矩形のブラケット１６ｃと、ブラケット１６ｃに直角に門扉６側に折れ曲がる面１６ｄとからなり、面１６ｄの門扉６側に連結ピン１６ｆを受ける連結ピン受け１６ｅが設けられ、連結ピン受け１６ｅにはベアリングが嵌合されている。
【００４１】
一方、昇降ガイド部４０は、複数のころ７１と複数のころ７１を取付けるためのコロ受け部７３で構成されている。コロ受け部７３は、凹凸（略Ｓ字形）が２連続した形状の細長板材７５と、この細長板材７５の凹部に細長板材７５の長手方向に沿って細長板材７５に直角に折り曲げられた短板７５ａと、細長板材７５の上下端が短板７５ａと同じ方向で水平に９０度折れ曲がってなる面材７４とで形成され、面材７４にはワイヤ１８ａ、１８ｂと係止するための孔７４ａを備えている。
【００４２】
そして、略半円形の板７７ａと矩形の取付板７７ｂが互いに距離を隔てて平行になるようにそれぞれの上端部がジョイント材７７ｃによって固定された連結ピン用ブラケット７７が、取付板７７ｂの２個の取付け孔７７ｄを介して細長板材７５に設けられた取付け孔７５ｃに固着される。このとき、連結ピン１６ｆが板７７ａに直角に取付板７７ｂ方向に向けて取付けられている。
【００４３】
このため、連結ピン１６ｆが上記連結ピン受け１６ｅに嵌合することにより、門扉６が昇降ガイド部４０と見込み方向Ｎに回転自在に取付けられる。このように、門扉６は連結部５０を介して昇降ガイド部４０に固着されたワイヤ１８ａ、１８ｂによって図示しない可動柱に吊下支持状態で連結されているので連結部５０は前記門扉６の自重を受け持ちながら昇降すると共に前記門扉の回転時の回転支点でもある。なお、門扉６の昇降時には連結ピン用ブラケット７７のジョイント材７７ｃが開口７０ｃを上下にスライドする。
【００４４】
昇降ガイド部４０のコロ受け部７３には上下方向４段に合計８個のコロ７１が配設され、略Ｓ字形の細長板材７５の凸部の相当する部分にはＴ方向を軸にして回転するコロ７１を設け、凹部に相当する部分の短板７５ａにはＳ方向を軸にして回転するコロ７１を設ける。
【００４５】
上下方向の各段には、内壁間７０ａ用（Ｔ方向）と内壁間７０ｂ用（Ｓ方向）に各１個のコロ７１からなる一対のコロ７１が設けられ、上段から順番に、コロ７１ａとコロ７１ｃ、コロ７１ｂとコロ７１ｄ、コロ７１ａとコロ７１ｃ、コロ７１ｂとコロ７１ｄの配置にするとともに、各段は上から順番に一対のコロ７１の組み合わせが内壁間７０ａ用（Ｔ方向）と内壁間７０ｂ用（Ｓ方向）の位置を交互に交代するように配列されている。
【００４６】
つまり、1段目の一対のコロ７１ａとコロ７１ｃは内壁間７０ａ用と内壁間７０ｂ用で、次の2段目は1段目の内壁間７０ａ用のコロ７１ａの下部に内壁間７０ｂ用のコロ７１ｄが配置され、1段目の内壁間７０ｂ用のコロ７１ｃの下部に内壁間７０ｂ用のコロ７１ｂが配置される。このように、順次４段目まで同様に交互に交代して編成されている。
【００４７】
したがって、同じ番号を附したコロ（７１ａ、７１ｂ、７１ｃ、７１ｄ）は、段の位置は異なるが内壁間７０ａ、内壁間７０ｂに対して相対的に同じ場所に配列されている。ここで、凹溝部７０の断面はＴ方向に短くＳ方向に長い略矩形なので、コロ受け部７３のコロ７１は、Ｔ方向の内壁間７０ａに対しては１個のコロ７１で対応(各段それぞれにコロ７１ａ或いはコロ７１ｂ)できるが、Ｓ方向の内壁間７０ｂには2個のコロ７１（上下の異なる段の各コロ７１ｃと７１ｄの位相をずらして）によって内壁間７０ｂの距離に対応される。
【００４８】
このようにして、この昇降ガイド部４０のコロ受け部７３には上下方向に８個のコロ７１が見付け方向Ｔと見込み方向Ｓにそれぞれバランスよく偏在しないように配設されている。
【００４９】
図８に示すように、可動柱３の内側に凹溝部７０が設けられ、その凹溝部７０内を昇降ガイド部４０が見付け方向Ｔと見込み方向Ｓに配設された「ころ７１」によってスライドして昇降するようになっている。そして、門扉６の下端部材４１に設けられた連結ピン受け１６ｅと昇降ガイド部４０に設けられた連結ピン１６ｆが門扉６を見付け方向Ｔを軸として見込み方向Ｓに回転自在に取付けられている。
【００５０】
＜ガレージ扉の作用＞
上記のように、門扉６は道路側に飛び出すことなく開閉可能となる。このため、門扉６の開閉空間をコンパクトにできる。
【００５１】
さらに、門扉６は上昇開始直後は門扉６が敷地側に突出しないので、敷地内に門扉６のスペースを設ける必要がなくなる。
【００５２】
従来のような邪魔なアームや横桁が必要なくなり左右一対の門柱４だけなので、ガレージ扉１をコンパクトにできる結果、施工が容易となり、コストも削減できる。
【００５３】
可動柱３の内側に凹溝部７０が設けられ、その凹溝部７０内を昇降ガイド部４０が昇降するようになっている。そして、門扉６が昇降ガイド部４０に、連結部５０の連結ピン１６ｆとベアリングを持った連結ピン受け１６によって見付け方向を軸として回転自在に取付けられるので、門扉６の回転時の回転モーメントを逃がすことができるため昇降ガイド部４０が過大に傾くことがなく、昇降ガイド部４０および門扉６の昇降を阻害することがない。このため、スムーズな昇降ができるガレージ扉を提供することができる。
【００５４】
また、昇降ガイド部４０は上下方向に８個のコロ７１が見付け方向Ｔと見込み方向Ｓにそれぞれバランスよく偏在しないように配設されている。
【００５５】
このため、スムーズな昇降ができるガレージ扉を提供することができる。
【００５６】
以上、本発明の実施形態を図面に基づいて説明したが、上記の実施例はいずれも本発明の一例を示したものであり、本発明はこれらに限定されるべきでないということはいうまでもない。
【００５７】
たとえば、門扉６と可動柱３の移動ストローク比は、ワイヤの途中に動滑車を追加することにより変更可能である。
【００５８】
ベルト状のスチール製ワイヤの代わりに、通常の丸型ワイヤや繊維ロープでも構わない。その際は、その強度や伸びあるいは捩れを考慮する必要がある。
【００５９】
なお、コロ１２の数及び位置は限定されるものではなく、見付け方向Ｔと見込み方向Ｓにそれぞれバランスよく偏在しないように配設すればよい。
【００６０】
連結部５０は、下端部材４１に連結ピン受け１６ｅ、連結ピン用ブラケット７７に連結ピン１６ｆが取付けられているが、下端部材４１に連結ピン１６ｆ、連結ピン用ブラケット７７に連結ピン受け１６ｅを取付ける構成でも構わない。
【図面の簡単な説明】
【００６１】
【図１】本発明の実施形態におけるガレージ扉の、（ａ）は門扉の全閉状態を示す斜視図、（ｂ）は門扉の半開き状態を示す斜視図、（ｃ）は門扉の全開状態を示す斜視図である。
【図２】本発明の実施形態におけるガレージ扉の差動連結機構を示す、（ａ）は門扉の全閉状態における側面図、（ｂ）は門扉の全閉状態における側面図で、可動柱をスライド上昇させるための駆動索の説明図、（ｃ）は門扉の全閉状態における側面図で、リンク機構と駆動索の説明図、（ｄ）は門扉の半開状態における側面図である。
【図３】（ａ）〜（ｆ）は、門扉の全閉状態から全開状態に至る一連の回転状態の説明図である。
【図４】本発明の実施形態における可動柱用の駆動手段の、（ａ）は平面断面図、（ｂ）は正面断面図である。
【図５】本発明の実施形態における、門扉の全閉状態を敷地側から見た透視斜視図である。
【図６】本発明の実施形態における、門扉の全閉状態を敷地側の別な角度から見た透視斜視図である。
【図７】本発明の実施形態における、昇降ガイド部の斜視図である。
【図８】本発明の実施形態における、図７のＡ−Ａ断面図である。
【図９】第１の従来例の斜視図である。
【図１０】第２の従来例の、（ａ）は正面図、（ｂ）は側面図である。
【符号の説明】
【００６２】
１  ガレージ扉
２  固定柱
３  可動柱
４  門柱
５  駆動手段
６  門扉
７  面
８  リンク機構（門扉回転手段）
Ｓ  見込み方向
Ｔ  見付け方向
５０  連結部
１８  駆動索
４０  昇降ガイド部  
７０  凹溝部
７０ａ  内壁間
７０ｂ  内壁間
７１  コロ
７５  細長板材
７５ａ  短板
【図１】
2005240326.tif 000003
【図２】
2005240326.tif 000004
【図３】
2005240326.tif 000005
【図４】
2005240326.tif 000006
【図５】
2005240326.tif 000007
【図６】
2005240326.tif 000008
【図７】
2005240326.tif 000009
【図８】
2005240326.tif 000010
【図９】
2005240326.tif 000011
【図１０】
2005240326.tif 000012